(57)【要約】  本発明は、所定の区間内において特定の広告の組み合わせを防止することで、特定の広告が所定の区間内においてともに再生されることを防止する方法及びシステムに関する。本発明に係る広告の組み合わせ防止方法は、第１広告と第２広告との組み合わせが防止される組み合わせ防止時間区間情報を提供する組み合わせ防止時間区間エレメントと、第２広告の特性情報を含む条件情報を提供する条件エレメントとを含むメタデータを分析するステップと、該組み合わせ防止時間区間に前記条件を満足する第２広告の再生の有無を確認するステップと、該第２広告が再生されていない場合、前記第１広告を再生し、前記組み合わせ防止時間区間に第２広告の再生を遮断するステップとを含むことを特徴とする。前記第２広告が再生された場合、前記第１広告の再生が遮断される。本発明は、デジタル放送受信装置における広告の代替可能な環境において、特定の広告の組み合わせを防止する効果を提供する。
2008537645.tif 000002
【特許請求の範囲】
【請求項１】
第１広告と第２広告との組み合わせが防止される組み合わせ防止時間区間情報を提供する組み合わせ防止時間区間エレメントと、第２広告の特性情報を含む条件情報を提供する条件エレメントとを含むメタデータを分析し、組み合わせ防止時間区間情報と条件情報とを取得するステップと、
該組み合わせ防止時間区間に前記条件を満足する第２広告の再生の有無を確認するステップと、
該第２広告が再生されていない場合、前記第１広告を再生し、前記組み合わせ防止時間区間に第２広告の再生を遮断するステップと
を含むことを特徴とする広告の組み合わせ防止方法。
【請求項２】
前記第２広告が再生された場合、前記第１広告の再生を遮断するステップを更に含むことを特徴とする請求項１に記載の広告の組み合わせ防止方法。
【請求項３】
前記組み合わせ防止時間区間が、前記第１広告の再生時点を基準として負の時間と正の時間とで設定されることを特徴とする請求項１に記載の広告の組み合わせ防止方法。
【請求項４】
前記負の時間から前記第１広告の再生時点までの間に前記第２広告が再生されていない場合、前記第１広告の再生時点から前記正の時間までの間、前記第２広告の再生を遮断することを特徴とする請求項３に記載の広告の組み合わせ防止方法。
【請求項５】
前記特性情報が、製品名、製品カテゴリー、ブランド名、製造者、及び広告の権利者情報からなる群の中から選択される少なくともいずれか１つを含むことを特徴とする請求項１に記載の広告の組み合わせ防止方法。
【請求項６】
前記条件エレメントが、「ＰｒｅｄｉｃａｔｅＢａｇ」エレメントを用いることを特徴とする請求項１に記載の広告の組み合わせ防止方法。
【請求項７】
前記「ＰｒｅｄｉｃａｔｅＢａｇ」エレメントは、「ＢｉｎａｒｙＰｒｅｄｉｃａｔｅ」及び「ＵｎａｒｙＰｒｅｄｉｃａｔｅ」エレメントを含み、
該「ＢｉｎａｒｙＰｒｅｄｉｃａｔｅ」及び「ＵｎａｒｙＰｒｅｄｉｃａｔｅ」エレメントの参照するフィールドが、製品名、製品カテゴリー、ブランド名、製造者、及び広告の権利者からなる群の中から選択される少なくともいずれか１つを含むことを特徴とする請求項６に記載の広告の組み合わせ防止方法。
【請求項８】
第１広告と第２広告との組み合わせが防止される組み合わせ防止コンテンツ区間情報を提供する組み合わせ防止コンテンツ区間エレメントと、第２広告の特性情報を含む条件情報を提供する条件エレメントとを含むメタデータを分析し、組み合わせ防止コンテンツ区間情報と条件情報とを取得するステップと、
該組み合わせ防止コンテンツ区間に前記条件を満足する第２広告の再生の有無を確認するステップと、
該第２広告が再生されていない場合、前記第１広告を再生し、前記組み合わせ防止コンテンツ区間に第２広告の再生を遮断するステップと
を含むことを特徴とする広告の組み合わせ防止方法。
【請求項９】
前記第２広告が再生された場合、前記第１広告の再生を遮断するステップを更に含むことを特徴とする請求項８に記載の広告の組み合わせ防止方法。
【請求項１０】
前記組み合わせ防止コンテンツ区間エレメントが、「Ｆｒｏｍ」及び「Ｔｏ」属性を有し、
前記属性の負の数値及び正の数値が、それぞれ前記第１広告の再生時点を基準としてその値だけ前のコンテンツ及び後のコンテンツを意味することを特徴とする請求項８に記載の広告の組み合わせ防止方法。
【請求項１１】
前記「Ｆｒｏｍ」属性が負の数値を有し、前記「Ｔｏ」属性が正の数値を有し、前記負の数値だけ前のコンテンツから前記第１広告の再生時点までの間に前記第２広告が再生されていない場合、前記第１広告の再生時点から前記正の数値だけ後のコンテンツまでの間に前記第２広告の再生を遮断することを特徴とする請求項１０に記載の広告の組み合わせ防止方法。
【請求項１２】
前記特性情報が、製品名、製品カテゴリー、ブランド名、製造者、及び広告の権利者情報からなる群の中から選択される少なくともいずれか１つを含むことを特徴とする請求項８に記載の広告の組み合わせ防止方法。
【請求項１３】
前記条件エレメントが、「ＰｒｅｄｉｃａｔｅＢａｇ」エレメントを用いることを特徴とする請求項８に記載の広告の組み合わせ防止方法。
【請求項１４】
前記「ＰｒｅｄｉｃａｔｅＢａｇ」エレメントは、「ＢｉｎａｒｙＰｒｅｄｉｃａｔｅ」及び「ＵｎａｒｙＰｒｅｄｉｃａｔｅ」エレメントを含み、
前記「ＢｉｎａｒｙＰｒｅｄｉｃａｔｅ」及び「ＵｎａｒｙＰｒｅｄｉｃａｔｅ」エレメントの参照するフィールドが、製品名、製品カテゴリー、ブランド名、製造者、及び広告の権利者からなる群の中から選択される少なくともいずれか１つを含むことを特徴とする請求項１３に記載の広告の組み合わせ防止方法。
【請求項１５】
前記コンテンツが、広告の挿入地点（ｐｏｄ）、セグメント又は番組のいずれか１つであることを特徴とする請求項８に記載の広告の組み合わせ防止方法。
【請求項１６】
第１広告と第２広告との組み合わせが防止される組み合わせ防止時間区間情報を提供する組み合わせ防止時間区間エレメントと、第２広告の特性情報を含む条件情報を提供する条件エレメントとを含むメタデータを分析し、組み合わせ防止時間区間情報と条件情報とを取得するメタデータ分析部と、
該組み合わせ防止時間区間に前記条件を満足する第２広告の再生の有無を確認する広告再生確認部と、
該第２広告が再生されていない場合、前記第１広告を再生し、前記組み合わせ防止時間区間に第２広告の再生を遮断する広告再生遮断部と
を備えることを特徴とする広告の組み合わせ防止システム。
【請求項１７】
第１広告と第２広告との組み合わせが防止される組み合わせ防止コンテンツ区間情報を提供する組み合わせ防止コンテンツ区間エレメントと、第２広告の特性情報を含む条件情報を提供する条件エレメントとを含むメタデータを分析し、組み合わせ防止コンテンツ区間情報と条件情報とを取得するメタデータ分析部と、
該組み合わせ防止コンテンツ区間に前記条件を満足する第２広告の再生の有無を確認する広告再生確認部と、
該第２広告が再生されていない場合、前記第１広告を再生し、前記組み合わせ防止コンテンツ区間に第２広告の再生を遮断する広告再生遮断部と
を備えることを特徴とする広告の組み合わせ防止システム。
【発明の詳細な説明】
【技術分野】
【０００１】
本発明は、インタースティシャルコンテンツ（ｉｎｔｅｒｓｔｉｔｉａｌ  ｃｏｎｔｅｎｔｓ）、すなわち、広告の組み合わせを防止する方法及びシステムに関し、より詳細には、所定の区間内において特定の広告の組み合わせを防止することで、特定の広告が所定の区間内においてともに再生されることを防止する方法及びシステムに関する。
【背景技術】
【０００２】
放送のデジタル化に伴い、多メディア、多チャンネルのみならず、従来の片方向の放送受信から放送通信網の連動による様々な受信端末の受容といった複雑な形態へと、放送環境は急速に変化している。視聴者側からすると、制限されたチャンネルの選択のみにより放送番組を受信する受動的な視聴から抜け出し、放送サービスに直接参加したり所望の時間に所望の番組を受信及び視聴しようという要求が高まりつつある。
【０００３】
このような変化は、放送環境がより複雑多様に個人化した形態に進化しつつあると要約することができる。個人向けの放送は、このように複雑多様な新しい放送環境において、視聴者がより便利かつ効率的に所望の放送コンテンツを所望の時間に様々な端末で視聴者の好みに合わせた所望の形態で消費できるようにする。
【０００４】
すなわち、個人向けの放送は、ユーザの好み、端末性能、ネットワーク特性、自然環境（時間、場所、ユーザの気分など）などを含む使用環境に適した個人向けの放送コンテンツを提供しようとするものである。
【０００５】
個人向けの放送に関する標準は、仮定されたシステム環境及び提供しようとする主な機能的側面からＰｈａｓｅ１（ＴＶＡ−１）とＰｈａｓｅ２（ＴＶＡ−２）との２段階に分けられる。ＴＶＡ−１は、主な放送番組が片方向の放送チャンネルに送信され、双方向ネットワークを介して追加的なメタデータを取得することのできる環境において、ＰＤＲ（Ｐｅｒｓｏｎａｌ  Ｄｉｇｉｔａｌ  Ｒｅｃｏｄｅｒ）を中心としたＡＶ（Ａｕｄｉｏ／Ｖｉｄｅｏ）コンテンツの探索、選択、取得、消費などのアプリケーションサービスを可能にするためのものである。
【０００６】
ＴＶＡ−２は、片方向の放送チャンネル及び双方向ネットワークを仮定したＴＶＡ−１の消費環境を拡張することで、ホームネットワーク環境において、様々な端末同士のコンテンツの共有（ｓｈａｒｉｎｇ）、様々なユーザ環境に適したコンテンツを提供するターゲッティング（ｔａｒｇｅｔｉｎｇ）などのサービスを提供し、かつ、コンテンツもＴＶＡ−１のＡＶのみならず、様々な形態のコンテンツを受容する。
【０００７】
ＴＶなどの放送広告は、放送社との協約により定められた番組が放映されている間、いくつかの放送広告が繰り返し再生され続け、このように使用された広告は、別の放送でも繰り返し使用される傾向がある。したがって、十分な格納装置が提供されている環境においては、任意の数の広告を個人格納装置に格納しておいた状態で、放送を通じて提供されている信号に応じて必要な広告を個人格納装置から再生することができる。もちろん、通信網を介して広告を受信して再生することもできる。このような環境が構成される場合、ユーザごとに特化した広告の提供が可能となる。
【０００８】
ユーザごとに特化した広告を提供するためには、次のような情報が必要となる。まず、放送番組中に広告の挿入可能な位置を明示することが必要である。また、必要に応じて、指定された位置に挿入可能な広告の長さ、すなわち、広告時間を明示することが必要である。
【０００９】
このように指定された各挿入位置は、各挿入位置に挿入可能な広告の記述を含むか、別途格納された広告の記述にリンクされていなければならない。広告の記述は、どの場合に各広告が与えられた挿入位置に挿入可能なのかを記述することができる。すなわち、各広告について所定の条件を満足する場合に使用可能であると記述することができる。
【００１０】
図１は、広告の使用条件を記述した一例である。本例は、与えられた広告が、ソウル地域にて教育を職業としない３５歳以上のユーザ向けに、２００４年１０月１日から２００４年１０月２０日まで使用可能であることを示している。
【００１１】
図２は、広告の排除条件を記述した一例である。本例は、与えられた広告が、ソウル地域にて教育を職業としない３５歳以上のユーザ向けの使用が不可であることを示している。
【００１２】
しかしながら、ある乗用車メーカーの広告に続いて競合他社の広告を放映することを禁止しようとする場合など、広告の特性を考慮して特定の組み合わせ広告の上映を禁止しようとするとき、従来においては、これを適切に表現する方法がなかった。
【発明の開示】
【発明が解決しようとする課題】
【００１３】
そこで、本発明は、上記のような問題を解決するためのものであり、その目的は、個人向けのデジタル放送環境下において、特定の広告の組み合わせを効率的に防止する方法及びシステムを提供することにある。
【課題を解決するための手段】
【００１４】
本発明の一態様に係る広告の組み合わせ防止方法は、第１広告と第２広告との組み合わせが防止される時間区間情報を提供する組み合わせ防止時間区間エレメントと、第２広告の特性情報からなる条件情報を提供する条件エレメントとを含むメタデータを分析し、組み合わせ防止時間区間情報と条件情報とを取得するステップと、該組み合わせ防止時間区間に前記条件を満足する第２広告の再生の可否を確認するステップと、該第２広告が再生されていない場合、前記第１広告を再生し、前記組み合わせ防止時間区間に第２広告の再生を遮断するステップとを含むことを特徴とする。前記第２広告が再生された場合、前記第１広告の再生が遮断される。
【００１５】
前記組み合わせ防止時間区間が、前記第１広告の再生時点を基準として負の時間と正の時間とで設定され得る。このとき、前記負の時間から前記第１広告の再生時点までの間に前記第２広告が再生されていない場合、前記第１広告の再生時点から前記正の時間までの間に前記第２広告の再生が遮断される。
【００１６】
前記特性情報が、製品名、製品カテゴリー、ブランド名、製造者、及び広告の権利者情報からなる群の中から選択される少なくともいずれか１つを含み得る。
【００１７】
前記条件エレメントが、「ＢｉｎａｒｙＰｒｅｄｉｃａｔｅ」及び「ＵｎａｒｙＰｒｅｄｉｃａｔｅ」エレメントからなる「ＰｒｅｄｉｃａｔｅＢａｇ」エレメントを含み得る。「ＢｉｎａｒｙＰｒｅｄｉｃａｔｅ」及び「ＵｎａｒｙＰｒｅｄｉｃａｔｅ」エレメントの参照するフィールドが、製品名、製品カテゴリー、ブランド名、製造者、及び広告の権利者からなる群の中から選択される少なくともいずれか１つを含む。
【００１８】
本発明の別の態様に係る広告の組み合わせ防止方法は、第１広告と第２広告との組み合わせが防止されるコンテンツ区間情報を提供する組み合わせ防止コンテンツ区間エレメントと、第２広告の特性情報からなる条件情報を提供する条件エレメントとを含むメタデータを分析し、組み合わせ防止コンテンツ区間情報と条件情報とを取得するステップと、該組み合わせ防止コンテンツ区間に前記条件を満足する第２広告の再生の可否を確認するステップと、該第２広告が再生されていない場合、前記第１広告を再生し、前記組み合わせ防止コンテンツ区間に第２広告の再生を遮断するステップとを含むことを特徴とする。前記第２広告が再生された場合、前記第１広告の再生が遮断される。また、前記コンテンツが、広告の挿入地点（ｐｏｄ）、セグメント又は番組のいずれか１つである。
【００１９】
前記組み合わせ防止コンテンツ区間エレメントが、「Ｆｒｏｍ」及び「Ｔｏ」属性を含み得る。前記属性の負の数値及び正の数値が、それぞれ前記第１広告の再生時点を基準としてその値だけ前のコンテンツ及び後のコンテンツを意味する。前記「Ｆｒｏｍ」属性が負の数値を有し、前記「Ｔｏ」属性が正の数値を有する場合、前記負の数値だけ前のコンテンツから前記第１広告の再生時点までの間に前記第２広告が再生されていない場合、前記第１広告の再生時点から前記正の数値だけ後のコンテンツまでの間に前記第２広告の再生が遮断される。
【００２０】
本発明の別の態様に係る広告の組み合わせ防止システムは、第１広告と第２広告との組み合わせが防止される時間区間情報を提供する組み合わせ防止時間区間エレメントと、第２広告の特性情報からなる条件情報を提供する条件エレメントとを含むメタデータを分析し、組み合わせ防止時間区間情報と条件情報とを取得するメタデータ分析部と、該組み合わせ防止時間区間に前記条件を満足する第２広告の再生の可否を確認する広告再生確認部と、該第２広告が再生されていない場合、前記第１広告を再生し、前記組み合わせ防止時間区間に第２広告の再生を遮断する広告再生遮断部とを備えることを特徴とする。
【００２１】
本発明の別の態様に係る広告の組み合わせ防止システムは、第１広告と第２広告との組み合わせが防止されるコンテンツ区間情報を提供する組み合わせ防止コンテンツ区間エレメントと、第２広告の特性情報からなる条件情報を提供する条件エレメントとを含むメタデータを分析し、組み合わせ防止コンテンツ区間情報と条件情報とを取得するメタデータ分析部と、該組み合わせ防止コンテンツ区間に前記条件を満足する第２広告の再生の可否を確認する広告再生確認部と、該第２広告が再生されていない場合、前記第１広告を再生し、前記組み合わせ防止コンテンツ区間に第２広告の再生を遮断する広告再生遮断部とを備えることを特徴とする。
【発明の効果】
【００２２】
本発明は、デジタル放送受信装置における広告の代替可能な環境において、特定の広告の組み合わせを防止する効果を提供する。
【発明を実施するための最良の形態】
【００２３】
上述した目的及び特徴は、添付された図面に関連する以下の詳細な説明を通じてより明確になるはずであり、それにより、本発明の属する技術分野における通常の知識を有する者が本発明の技術思想を容易に実施することができるであろう。また、本発明を説明するにあたり、本発明に関連した公知技術についての具体的な説明が本発明の要旨を不明にする可能性があると判断された場合は、その詳細な説明を省略する。以下、添付された図面を参照して本発明の好ましい実施形態を詳細に説明する。
【００２４】
図３は、本発明に係る特定の広告の選択を排除する拡張マークアップ言語（ＸＭＬ）スキーマを示す。与えられた「ＰｒｏｈｉｂｉｔｅｄＣｏｍｂｉｎａｔｉｏｎＴｙｐｅ」形式において、組み合わせ防止区間エレメントの「ＥｆｆｅｃｔｉｖｅＤｕｒａｔｉｏｎ」は、「Ｃｏｎｄｉｔｉｏｎ」エレメントで記述する条件を満足する広告が再生できない時間区間を表す。
【００２５】
「ＥｆｆｅｃｔｉｖｅＤｕｒａｔｉｏｎ」は、「ＰｒｏｈｉｂｉｔｅｄＣｏｍｂｉｎａｔｉｏｎ」の与えられた広告が再生される時点について負の時間（ｎｅｇａｔｉｖｅ  ｔｉｍｅ）から正の時間（ｐｏｓｉｔｉｖｅ  ｔｉｍｅ）までを規定する。負の時間は、「ＰｒｏｈｉｂｉｔｅｄＣｏｍｂｉｎａｔｉｏｎ」の与えられた広告が選択されて再生される時点を基準としてそれ以前の時間を規定し、正の時間は、同じ時点を基準としてそれ以後の時間を意味する。
【００２６】
「ＥｆｆｅｃｔｉｖｅＤｕｒａｔｉｏｎ」は、時間区間の記述方法により、現在の広告の挿入を考慮している時間を基準として開始時点と持続時間とで表現され得る。
【００２７】
より詳細に説明すると、「ＰｒｏｈｉｂｉｔｅｄＣｏｍｂｉｎａｔｉｏｎ」の与えられた広告（以下では、「広告Ａ」とする。）が再生のために選択される場合、広告Ａに与えられた「ＰｒｏｈｉｂｉｔｅｄＣｏｍｂｉｎａｔｉｏｎ」内の「Ｃｏｎｄｉｔｉｏｎ」エレメントで記述する条件を満足する広告（以下では、「広告Ｂ」とする。）が「ＥｆｆｅｃｔｉｖｅＤｕｒａｔｉｏｎ」で規定する所定の時間に選択されて再生されたことがあるかどうかを確認する。
【００２８】
「Ｃｏｎｄｉｔｉｏｎ」エレメントで記述する条件を満足する広告Ｂがすでに選択されて再生された場合、広告Ｂの排除広告である広告Ａは、「ＥｆｆｅｃｔｉｖｅＤｕｒａｔｉｏｎ」で規定する所定の時間には選択不可となる。
【００２９】
逆に、すでに選択された広告のうち、「Ｃｏｎｄｉｔｉｏｎ」エレメントで記述する条件を満足する広告Ｂがなければ、広告Ａは選択可能である。一旦、広告Ａが再生のために選択されれば、広告Ａの排除広告としての条件を満足する広告Ｂは、「ＥｆｆｅｃｔｉｖｅＤｕｒａｔｉｏｎ」で規定する所定の時間には選択不可となる。
【００３０】
すなわち、「ＥｆｆｅｃｔｉｖｅＤｕｒａｔｉｏｎ」は、広告Ａを選択しようとする場合、選択時点を基準として負の時間で定義された時間だけ早い時間から選択時点までの期間内に「ＰｒｏｈｉｂｉｔｅｄＣｏｍｂｉｎａｔｉｏｎ」内の「Ｃｏｎｄｉｔｉｏｎ」で規定された条件を満足する広告Ｂが選択されたかどうかを確認しなければならないことを意味する。
【００３１】
また、「ＥｆｆｅｃｔｉｖｅＤｕｒａｔｉｏｎ」は、広告Ａが選択されれば、選択時点から正の時間で定義された時間が経過するまで持続的に広告Ｂが選択されないように確認しなければならないことを意味する。
【００３２】
組み合わせ防止コンテンツ区間エレメントの「ＥｆｆｅｃｔｉｖｅＣｏｎｔｅｎｔ」は、「ＰｒｏｈｉｂｉｔｅｄＣｏｍｂｉｎａｔｉｏｎ」内の「Ｃｏｎｄｉｔｉｏｎ」エレメントで記述する条件を満足する広告が再生できないコンテンツ区間を表す。「ＥｆｆｅｃｔｉｖｅＣｏｎｔｅｎｔ」は、「ＥｆｆｅｃｔｉｖｅＣｏｎｔｅｎｔ」により定義されたセグメント又は番組を視聴する場合、「Ｃｏｎｄｉｔｉｏｎ」で記述された条件を満足する広告が再生できないことを意味する。
【００３３】
「Ｆｒｏｍ」及び「Ｔｏ」属性は、コンテンツの相対的なカウントを意味する。数字「０」は、現在のコンテンツを意味する。負の数は、前のコンテンツを意味し、正の数は、後のコンテンツを意味する。「ｔｙｐｅ」属性を特定することにより、コンテンツのユニットは、広告の挿入地点（ｐｏｄ）、セグメント又は番組になり得る。
【００３４】
現在の番組の間にのみ「Ｃｏｎｄｉｔｉｏｎ」で記述された条件を満足する広告を再生できないようにするためには、「Ｆｒｏｍ」及び「Ｔｏ」属性の値は、いずれも「０」にならなければならず、「ｔｙｐｅ」は、ｐｒｏｇｒａｍにならなければならない。
【００３５】
例えば、「Ｆｒｏｍ」属性が−２であり、「Ｔｏ」属性が３であれば、「ＰｒｏｈｉｂｉｔｅｄＣｏｍｂｉｎａｔｉｏｎ」内の「Ｃｏｎｄｉｔｉｏｎ」で規定する条件を満足する広告は、現在のコンテンツ（すなわち、セグメント、広告の挿入地点又は番組）を基準として前の２つのコンテンツが始まる開始時点から後の３つのコンテンツが終わる時間まで選択不可となる。
【００３６】
すなわち、「ＥｆｆｅｃｔｉｖｅＤｕｒａｔｉｏｎ」及び「ＥｆｆｅｃｔｉｖｅＣｏｎｔｅｎｔ」は、同じ方式の制御条件であるが、「ＥｆｆｅｃｔｉｖｅＤｕｒａｔｉｏｎ」は、単に時間を基準として広告Ｂを選択不可能にするのに対し、「ＥｆｆｅｃｔｉｖｅＣｏｎｔｅｎｔ」は、「ｔｙｐｅ」で定義された広告の挿入地点、セグメント又は番組の数を基準として広告Ｂを選択不可能にするという違いがある。
【００３７】
述語（ｐｒｅｄｉｃａｔｅ）を含む「Ｃｏｎｄｉｔｉｏｎ」エレメントは、禁止（Ｐｒｏｈｉｂｉｔｅｄ）される広告の満足すべき条件を表す。
【００３８】
「Ｃｏｎｄｉｔｉｏｎ」エレメントは、「ＰｒｅｄｉｃａｔｅＢａｇ」を用いて表現され得る。「ＰｒｅｄｉｃａｔｅＢａｇ」は、「ＢｉｎａｒｙＰｒｅｄｉｃａｔｅ」、「ＵｎａｒｙＰｒｅｄｉｃａｔｅ」、及び下位の「ＰｒｅｄｉｃａｔｅＢａｇ」からなる。
【００３９】
「ＰｒｅｄｉｃａｔｅＢａｇ」、「ＢｉｎａｒｙＰｒｅｄｉｃａｔｅ」、及び「ＵｎａｒｙＰｒｅｄｉｃａｔｅ」の基本構造は、ＴＶＡ−１  Ｓ００６  パート１に定義されている。「ＰｅｄｉｃａｔｅＢａｇ」は、論理構造の記述方式にしたがう。すなわち、最上位レベルにおいて、「ＰｒｅｄｉｃａｔｅＢａｇ」は、その下位に定義された条件をそのまま利用するか、「ｔｙｐｅ」の値を「ＮＯＴ」で規定することにより、その下位に定義された条件を否定して利用することができる。
【００４０】
「ＰｒｅｄｉｃａｔｅＢａｇ」は、その下位に「ＰｒｅｄｉｃａｔｅＢａｇ」を更に再帰的に含むことができ、複雑な条件をブール代数方式で規定することができる。すなわち、「ＰｒｅｄｉｃａｔｅＢａｇ」は、その「ｔｙｐｅ」が「ＡＮＤ」又は「ＯＲ」を有することにより、条件をブール代数方式で規定することができる。
【００４１】
「ＰｒｅｄｉｃａｔｅＢａｇ」は、「ＢｉｎａｒｙＰｒｅｄｉｃａｔｅ」又は「ＵｎａｒｙＰｒｅｄｉｃａｔｅ」を有することができるようになっているが、「ＢｉｎａｒｙＰｒｅｄｉｃａｔｅ」は、「ｆｉｅｌｄ」の値が、「ｆｉｅｌｄｖａｌｕｅ」と比較したとき、「ｔｙｐｅ」に定義された条件（すなわち、比較演算）を満足するかどうかを確認する。
【００４２】
「ＵｎａｒｙＰｒｅｄｉｃａｔｅ」は、どんな「ｆｉｅｌｄ」自体が存在するか否かを確認するために用いられる。「ＵｎａｒｙＰｒｅｄｉｃａｔｅ」は、比較すべき「ｆｉｅｌｄｖａｌｕｅ」を必要としない場合に用いられる。
【００４３】
「ＢｉｎａｒｙＰｒｅｄｉｃａｔｅ」又は「ＵｎａｒｙＰｒｅｄｉｃａｔｅ」の参照するフィールドは、広告の特性を記述しなければならない。本発明では、フィールドとして、製品名（Ｐｒｏｄｕｃｔ  Ｎａｍｅ）、製品カテゴリー（Ｐｒｏｄｕｃｔ  Ｃａｔｅｇｏｒｙ）、ブランド名（Ｂｒａｎｄ  Ｎａｍｅ）、製造者（Ｍａｎｕｆａｃｔｕｒｅ）、及び広告の権利者（Ｒｉｇｈｔ  Ｈｏｌｄｅｒ  Ｆｏｒ  Ｃｏｎｔｅｎｔ）を含む。
【００４４】
最下位の「ＢｉｎａｒｙＰｒｅｄｉｃａｔｅ」又は「ＵｎａｒｙＰｒｅｄｉｃａｔｅ」の値が「Ｔｒｕｅ」又は「Ｆａｌｓｅ」に決定されると、これらを含む「ＰｒｅｄｉｃａｔｅＢａｇ」の「ｔｙｐｅ」に応じて、「ＡＮＤ」、「ＯＲ」、及び「ＮＯＴ」のブール代数演算を行い、最上位の「ＰｒｅｄｉｃａｔｅＢａｇ」の値を計算することができる。
【００４５】
最上位の「ＰｒｅｄｉｃａｔｅＢａｇ」の値が「Ｔｒｕｅ」であれば、広告が「Ｃｏｎｄｉｔｉｏｎ」エレメントで記述する条件を満足することになる。最上位の「ＰｒｅｄｉｃａｔｅＢａｇ」の値が「Ｆａｌｓｅ」であれば、広告が「Ｃｏｎｄｉｔｉｏｎ」エレメントで記述する条件を満足しないことになる。
【００４６】
図４は、本発明に係る広告記述構造を表すＸＭＬスキーマである。製品名、製品カテゴリー、ブランド名、製造者、広告の権利者エレメントを用いて広告を記述している。
【００４７】
図５は、コンテンツ基盤の記述形態（ＣｏｎｔｅｎｔＢａｓｅｄＤｅｓｃｒｉｐｔｉｏｎＴｙｐｅ）に基づいて拡張された広告記述構造を表すＸＭＬスキーマである。広告記述構造をコンテンツ基盤の記述形態に基づいて拡張して表現することにより、広告もＡＶコンテンツと同じレベルのコンテンツユニットとしてコンテンツ化することができる。したがって、ＣＲＩＤ（Ｃｏｎｔｅｎｔ  Ｒｅｆｅｒｅｎｃｅ  Ｉｄｅｎｔｉｆｉｅｒ）を用いることにより、広告を識別、検索、位置決定及び取得することができる。
【００４８】
図６は、図３のＸＭＬスキーマに基づいて「ＥｆｆｅｃｔｉｖｅＤｕｒａｔｉｏｎ」を用いて広告の組み合わせを排除する第１実施例を示すＸＭＬ文書である。
【００４９】
現在の時点で大宇自動車の広告を選択して再生しようとする場合を想定する。この場合、大宇自動車の広告にリンクされている「ＰｒｏｈｉｂｉｔｅｄＣｏｍｂｉｎａｔｉｏｎ」を確認する。
【００５０】
「ＥｆｆｅｃｔｉｖｅＤｕｒａｔｉｏｎ」は、現在の時点から２時間を引いた時点を基準として１時間経った時点から２時間が有効な時間であることを表している。すなわち、現在の時点から１時間前から現在の時点から１時間後までが有効な時間となる。
【００５１】
したがって、「Ｃｏｎｄｉｔｉｏｎ」エレメントで規定する条件である、製造者が現代自動車であって製品の形態が自動車である広告、すなわち、現代自動車の広告が現在の時点から１時間前までの間にすでに放映されたかどうかを確認する。このとき、２つのケースが発生し得る。
【００５２】
１つは、現代自動車の広告がまだ放映されていないケースである。現代自動車の広告が放映されていなければ、大宇自動車の広告が選択され、現在の時点に挿入、すなわち、再生される。一旦、大宇自動車の広告が挿入されると、「ＰｒｏｈｉｂｉｔｅｄＣｏｍｂｉｎａｔｉｏｎ」は、現在の基準時間、すなわち、大宇自動車の広告の挿入時点から１時間後まで引き続き有効となる。
【００５３】
したがって、現在の基準時間から１時間後までの時間に他の広告が挿入されるたびにこの条件を確認するようになる。仮に、現在の基準時間から３０分後に現代自動車の広告を挿入しようと試みても、すでに挿入された大宇自動車の広告の「ＰｒｏｈｉｂｉｔｅｄＣｏｍｂｉｎａｔｉｏｎ」は、依然有効であるため、現代自動車の広告の挿入は不可能である。
【００５４】
もう１つは、現代自動車の広告がすでに放映されたケースである。すでに現代自動車の広告が放映され、その放映時間からまだ１時間が経っていなければ、負の時間の条件により大宇自動車の広告の挿入は不可能である。
【００５５】
図７は、図３のＸＭＬスキーマに基づいて「ＥｆｆｅｃｔｉｖｅＣｏｎｔｅｎｔ」を用いて広告の組み合わせを排除する第２実施例を示すＸＭＬ文書である。
【００５６】
現在の時点で大宇自動車の広告を選択して再生しようとする場合を想定する。この場合、大宇自動車の広告にリンクされている「ＰｒｏｈｉｂｉｔｅｄＣｏｍｂｉｎａｔｉｏｎ」を確認する。
【００５７】
「ＥｆｆｅｃｔｉｖｅＣｏｎｔｅｎｔ」は、コンテンツタイプが「ｐｏｄ」として与えられているため、現在の時点を基準として７つ前の広告の挿入地点から現在の時点を基準として１０個後の広告の挿入地点まで有効であることを表す。
【００５８】
「Ｃｏｎｄｉｔｉｏｎ」エレメントで規定する条件である、製造者が現代自動車であって製品の形態が自動車である広告、すなわち、現代自動車の広告が現在の時点から過去７つ前の広告の挿入地点までの間にすでに放映されたかどうかを確認する。このとき、２つのケースが発生し得る。
【００５９】
１つは、現代自動車の広告がまだ放映されていないケースである。現代自動車の広告が放映されていなければ、大宇自動車の広告が選択され、現在の時点に挿入、すなわち、再生される。一旦、大宇自動車の広告が挿入されると、「ＰｒｏｈｉｂｉｔｅｄＣｏｍｂｉｎａｔｉｏｎ」は、現在の基準時間、すなわち、大宇自動車の広告の挿入時点から１０個目の広告の挿入地点まで引き続き有効となる。
【００６０】
したがって、現在の基準時間から１０個の広告の挿入地点に他の広告が挿入されるたびにこの条件を確認するようになる。仮に、現在の基準時間から４つ目の広告の挿入地点に現代自動車の広告を挿入しようと試みても、すでに挿入された大宇自動車の広告の「ＰｒｏｈｉｂｉｔｅｄＣｏｍｂｉｎａｔｉｏｎ」は、依然有効であるため、現代自動車の広告の挿入は不可能である。
【００６１】
もう１つは、現代自動車の広告がすでに放映されたケースである。すでに現代自動車の広告が放映され、その放映時間から７つ目の広告の挿入地点がまだ過ぎていなければ、大宇自動車の広告の挿入は不可能である。
【００６２】
図８は、本発明の第１実施例に係る広告の組み合わせ防止方法のフローチャートである。
【００６３】
広告の組み合わせ防止システムは、「ＰｒｏｈｉｂｉｔｅｄＣｏｍｂｉｎａｔｉｏｎ」メタデータを分析し、第１広告と第２広告との組み合わせが防止される組み合わせ防止時間区間情報と、第２広告の特性情報からなる条件情報とを取得する（Ｓ８１０）。
【００６４】
その後、組み合わせ防止時間区間に前記条件を満足する第２広告の再生の可否を確認する（Ｓ８２０）。より具体的に、組み合わせ防止時間区間における負の時間から第１広告の再生時点までの間に第２広告の再生の可否を確認する。
【００６５】
仮に、第２広告が再生されていなければ、第１広告を再生し、組み合わせ防止時間区間に第２広告の再生を遮断する（Ｓ８３０）。より具体的に、組み合わせ防止時間区間における負の時間から第１広告の再生時点までの間に第２広告が再生されていない場合、第１広告を再生した後、第１広告の再生時点から正の時間までの間に第２広告の再生を遮断する。
【００６６】
仮に、第２広告が組み合わせ防止時間区間における負の時間から第１広告の再生時点までの間に再生された場合、第１広告の再生を遮断する（Ｓ８４０）。
【００６７】
図９は、本発明の第２実施例に係る広告の組み合わせ防止方法のフローチャートである。
【００６８】
広告の組み合わせ防止システムは、「ＰｒｏｈｉｂｉｔｅｄＣｏｍｂｉｎａｔｉｏｎ」メタデータを分析し、第１広告と第２広告との組み合わせが防止される組み合わせ防止コンテンツ区間情報と、第２広告の特性情報からなる条件情報とを取得する（Ｓ９１０）。
【００６９】
その後、組み合わせ防止コンテンツ区間に前記条件を満足する第２広告の再生の可否を確認する（Ｓ９２０）。より具体的に、組み合わせ防止コンテンツ区間エレメントにおける「Ｆｒｏｍ」属性の負の数値だけ前のコンテンツから第１広告の再生時点までの間に第２広告の再生の可否を確認する。
【００７０】
仮に、第２広告が再生されていなければ、第１広告を再生し、組み合わせ防止コンテンツ区間に第２広告の再生を遮断する（Ｓ９３０）。より具体的に、組み合わせ防止コンテンツ区間中において「Ｆｒｏｍ」属性の負の数値だけ前のコンテンツから第１広告の再生時点までの間に第２広告が再生されていない場合、第１広告を再生した後、第１広告の再生時点から組み合わせ防止コンテンツ区間エレメントにおける「Ｔｏ」属性の正の数値だけ後のコンテンツまでの間に第２広告の再生を遮断する。
【００７１】
仮に、第２広告が組み合わせ防止コンテンツ区間中において「Ｆｒｏｍ」属性の負の数値だけ前のコンテンツから第１広告の再生時点までの間に再生された場合、第１広告の再生を遮断する（Ｓ９４０）。
【００７２】
上述した本発明の方法は、番組として実現され、コンピュータ可読形態で記録媒体に格納され得る。
【００７３】
以上のように、本発明は、限定された実施形態及び図面によって説明されているが、本発明はこれに限定されるものではなく、本発明の属する技術分野における通常の知識を有する者によって本発明の技術思想及び以下に記載される特許請求の範囲の均等な範囲内で様々な修正及び変形が可能であることは言うまでもない。
【産業上の利用可能性】
【００７４】
本発明は、ＴＶＡの個人向けのデジタル放送に利用可能である。
【図面の簡単な説明】
【００７５】
【図１】広告の使用条件を記述した一例を示す図である。
【図２】広告の排除条件を記述した一例を示す図である。
【図３】本発明の実施例に係る特定の広告の選択を排除するＸＭＬスキーマを示す図である。
【図４】本発明の実施例に係る広告記述構造を表すＸＭＬスキーマを示す図である。
【図５】コンテンツ基盤の記述形態に基づいて拡張された広告記述構造を表すＸＭＬスキーマを示す図である。
【図６】図３のＸＭＬスキーマに基づいて広告の組み合わせを排除する第１実施例を示す図である。
【図７】図３のＸＭＬスキーマに基づいて広告の組み合わせを排除する第２実施例を示す図である。
【図８】本発明の第１実施例に係る広告の組み合わせ防止方法のフローチャートである。
【図９】本発明の第２実施例に係る広告の組み合わせ防止方法のフローチャートである。
【図１】
2008537645.tif 000003
【図２】
2008537645.tif 000004
【図３】
2008537645.tif 000005
【図４】
2008537645.tif 000006
【図５】
2008537645.tif 000007
【図６】
2008537645.tif 000008
【図７】
2008537645.tif 000009
【図８】
2008537645.tif 000010
【図９】
2008537645.tif 000011
【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
広告の特性情報を条件に含む条件情報と、前記広告に代替する広告を制限する条件を含む組み合わせ防止情報とを含むメタデータを生成するステップと、
該メタデータをユーザ端末に送信するステップと、
を含むことを特徴とする広告提供方法。
【請求項２】
前記組み合わせ防止情報が、時間区間情報を含むことを特徴とする請求項１に記載の広告提供方法。
【請求項３】
前記組み合わせ防止情報が、コンテンツのカウント情報を含むことを特徴とする請求項１に記載の広告提供方法。
【請求項４】
前記条件情報が、１進（ｕｎａｒｙ）条件情報、２進（ｂｉｎａｒｙ）条件情報、又は当該条件情報の下位条件情報のいずれか１つ以上を含むことを特徴とする請求項１に記載の広告提供方法。
【請求項５】
前記条件情報が、ブール代数情報であることを特徴とする請求項１に記載の広告提供方法。
【請求項６】
前記条件情報が、前記ブール代数の結果を反転させる情報を含むことを特徴とする請求項５に記載の広告提供方法。
【請求項７】
前記特性情報が、前記広告の識別子を含み、前記広告の対象になる製品の製品名、製品カテゴリー、ブランド名、製造者、及び広告の権利者情報からなる情報群の中から選択される少なくともいずれか１つ以上の情報を含むことを特徴とする請求項１に記載の広告提供方法。
【請求項８】
広告の特性情報を条件に含む条件情報と、前記広告に代替する広告を制限する条件を含む組み合わせ防止情報とを含むメタデータを生成するメタデータ生成部と、
該メタデータをユーザ端末に送信する送信部と、
を備えることを特徴とする広告提供装置。
【請求項９】
前記組み合わせ防止情報が、時間区間情報を含むことを特徴とする請求項８に記載の広告提供装置。
【請求項１０】
前記組み合わせ防止情報が、コンテンツのカウント情報を含むことを特徴とする請求項８に記載の広告提供装置。
【請求項１１】
前記条件情報が、１進（ｕｎａｒｙ）条件情報、２進（ｂｉｎａｒｙ）条件情報、又は当該条件情報の下位条件情報のいずれか１つ以上を含むことを特徴とする請求項８に記載の広告提供装置。
【請求項１２】
前記条件情報が、ブール代数情報であることを特徴とする請求項８に記載の広告提供装置。
【請求項１３】
前記条件情報が、前記ブール代数の結果を反転させる情報を含むことを特徴とする請求項１２に記載の広告提供装置。
【請求項１４】
前記特性情報が、前記広告の識別子を含み、前記広告の対象になる製品の製品名、製品カテゴリー、ブランド名、製造者、及び広告の権利者情報からなる情報群の中から選択される少なくともいずれか１つ以上の情報を含むことを特徴とする請求項８に記載の広告提供装置。
【請求項１５】
広告の特性情報を条件に含む条件情報と、前記広告に代替する広告を制限する条件を含む組み合わせ防止情報とを含むメタデータを受信するステップと、
該メタデータに基づき、前記条件情報と前記組み合わせ防止情報とを満たす広告の再生が制限されるように制御するステップと、
を含むことを特徴とする広告消費方法。
【請求項１６】
前記組み合わせ防止情報が、時間区間情報を含むことを特徴とする請求項１５に記載の広告消費方法。
【請求項１７】
前記組み合わせ防止情報が、コンテンツのカウント情報を含むことを特徴とする請求項１５に記載の広告消費方法。
【請求項１８】
前記条件情報が、１進（ｕｎａｒｙ）条件情報、２進（ｂｉｎａｒｙ）条件情報、又は当該条件情報の下位条件情報のいずれか１つ以上を含むことを特徴とする請求項１５に記載の広告消費方法。
【請求項１９】
前記条件情報が、ブール代数情報であることを特徴とする請求項１５に記載の広告消費方法。
【請求項２０】
前記条件情報が、前記ブール代数の結果を反転させる情報を含むことを特徴とする請求項１９に記載の広告消費方法。
【請求項２１】
前記特性情報が、前記広告の識別子を含み、前記広告の対象になる製品の製品名、製品カテゴリー、ブランド名、製造者、及び広告の権利者情報からなる情報群の中から選択される少なくともいずれか１つ以上の情報を含むことを特徴とする請求項１５に記載の広告消費方法。
【請求項２２】
広告の特性情報を条件に含む条件情報と、前記広告に代替する広告を制限する条件を含む組み合わせ防止情報とを含むメタデータを受信する受信部と、
該メタデータに基づき、前記条件情報と前記組み合わせ防止情報とを満たす広告の再生が制限されるように制御する制御部と、
を備えることを特徴とするユーザ端末。
【請求項２３】
前記組み合わせ防止情報が、時間区間情報を含むことを特徴とする請求項２２に記載のユーザ端末。
【請求項２４】
前記組み合わせ防止情報が、コンテンツのカウント情報を含むことを特徴とする請求項２２に記載のユーザ端末。
【請求項２５】
前記条件情報が、１進（ｕｎａｒｙ）条件情報、２進（ｂｉｎａｒｙ）条件情報、又は当該条件情報の下位条件情報のいずれか１つ以上を含むことを特徴とする請求項２２に記載のユーザ端末。
【請求項２６】
前記条件情報が、ブール代数情報であることを特徴とする請求項２２に記載のユーザ端末。
【請求項２７】
前記条件情報が、前記ブール代数の結果を反転させる情報を含むことを特徴とする請求項２６に記載のユーザ端末。
【請求項２８】
前記特性情報が、前記広告の識別子を含み、前記広告の対象になる製品の製品名、製品カテゴリー、ブランド名、製造者、及び広告の権利者情報からなる情報群の中から選択される少なくともいずれか１つ以上の情報を含むことを特徴とする請求項２２に記載のユーザ端末。
【国際調査報告】
2008537645.tif 000012